(57)【要約】【課題】携帯端末の移動を抑制しながら、携帯端末の容易な配置・持出しを可能とする単純な構造の充電器を提供する。【解決手段】少なくともスマートフォン３１の移動を抑制でき、スマートフォン３１を充電する非接触式の充電器本体３２を備える充電器１０であって、充電器本体３２に対向してスマートフォン３１を載せる上面１０ａに、スマートフォン３１を保持する保持部材３４が複数設けられ、保持部材３４は、充電器本体３２の中心１０Ｐに対して点対称となる位置に設けられる。【選択図】図４
2020195232.tif 000002
【特許請求の範囲】
【請求項１】
少なくとも携帯端末の移動を抑制でき、前記携帯端末を充電する非接触式の充電部を備える充電器であって、
前記充電部に対向して前記携帯端末を載せる載置面に、前記携帯端末を保持する保持部材が複数設けられ、前記保持部材は、前記充電部の中心に対して点対称となる位置に設けられることを特徴とする充電器。
【請求項２】
前記保持部材は、少なくとも前記載置面の対向する２辺に１箇所ずつ設けられることを特徴とする請求項１に記載の充電器。
【請求項３】
前記保持部材は、前記載置面の対角に設けられることを特徴とする請求項１又は２に記載の充電器。
【請求項４】
前記充電器は、車両の内装部材に設けられることを特徴とする請求項１乃至３のいずれか一項に記載の充電器。
【請求項５】
前記保持部材は、前記載置面から離れる方向に延びる柱部を備えることを特徴とする請求項１乃至４のいずれか一項に記載の充電器。
【請求項６】
前記保持部材は、前記柱部の端部に、先端側ほど前記載置面から離れるように前記載置面に対して傾斜した傾斜面を有する爪部を備え、前記傾斜面が、前記載置面に載置された前記携帯端末に臨むことを特徴とする請求項５に記載の充電器。
【請求項７】
前記爪部は、先端側ほど細くなるように、前記爪部の前記充電部の中心に近い側面が、前記対向する２辺に直交する方向に対して傾斜していることを特徴とする請求項６に記載の充電器。
【請求項８】
前記保持部材は、可動式であることを特徴とする請求項１乃至７のいずれか一項に記載の充電器。
【発明の詳細な説明】
【技術分野】
【０００１】
本発明は、充電器に関する。
【背景技術】
【０００２】
従来、非接触式の充電ユニットにより充電可能な充電器が知られている（例えば、特許文献１参照）。
この充電器は、携帯端末を収納する凹状の収納スペースと、収納スペース内に挿入された携帯端末を充電位置に付勢する付勢手段とを備える。
携帯端末を収納スペースに配置する際、携帯端末を収納スペースに斜めに差し込むとともに付勢手段の弾性力に抗して押し込み、更に収納スペースの底部に押し下げる。また、携帯端末を収納スペースから持出す際には、収納スペースにおける携帯端末の両側のスペースに指を入れて弾性保持された携帯端末を取出すことになる。
この充電器では、携帯端末は、収納スペースに配置されて弾性保持されるため、車両の振動等による充電器の外部への飛び出しが防止される。
【先行技術文献】
【特許文献】
【０００３】
【特許文献１】特開２０１２−２３６４７７号公報
【発明の概要】
【発明が解決しようとする課題】
【０００４】
特許文献１の充電器では、収納スペースに対する携帯端末の着脱が比較的容易ではあるが、携帯端末の移動を抑制しながら、非接触式の充電器のメリットである、置くだけで充電でき、簡単に持出しできることを活かせる単純な構造が望まれる。
本発明の目的は、携帯端末の移動を抑制しながら、携帯端末の容易な配置・持出しを可能とする単純な構造の充電器を提供することにある。
【課題を解決するための手段】
【０００５】
充電器は、少なくとも携帯端末の移動を抑制でき、前記携帯端末を充電する非接触式の充電部を備える充電器であって、前記充電部に対向して前記携帯端末を載せる載置面に、前記携帯端末を保持する保持部材が複数設けられ、前記保持部材は、前記充電部の中心に対して点対称となる位置に設けられることを特徴とする。
【０００６】
上記構成において、前記保持部材は、少なくとも前記載置面の対向する２辺に１箇所ずつ設けられるようにしても良い。
また、上記構成において、前記保持部材は、前記載置面の対角に設けられるようにしても良い。
また、上記構成において、前記充電器は、車両の内装部材に設けられるようにしても良い。
【０００７】
また、上記構成において、前記保持部材は、前記載置面から離れる方向に延びる柱部を備えるようにしても良い。
また、上記構成において、前記保持部材は、前記柱部の端部に、先端側ほど前記載置面から離れるように前記載置面に対して傾斜した傾斜面を有する爪部を備え、前記傾斜面が前記載置面に載置された前記携帯端末に臨むようにしても良い。
【０００８】
また、上記構成において、前記爪部は、先端側ほど細くなるように、前記爪部の前記充電部の中心に近い側面が、前記対向する２辺に直交する方向に対して傾斜していても良い。
また、上記構成において、前記保持部材は、可動式であっても良い。
【発明の効果】
【０００９】
充電器は、充電部に対向して携帯端末を載せる載置面に、携帯端末を保持する保持部材が複数設けられ、保持部材は、充電部の中心に対して点対称となる位置に設けられるので、携帯端末の移動を抑制しながら、充電器をより単純に構成するとともに充電器に対して携帯端末の配置・持出しを容易に行うことができる。
【図面の簡単な説明】
【００１０】
【図１】本発明の第１実施形態に係る充電器の車両への設置例を示す図である。
【図２】充電器を示す斜視図である。
【図３】充電器へのスマートフォンの配置要領を示す作用図である。
【図４】充電器を示す平面図である。
【図５】図４のＶ矢視図である。
【図６】本実施形態の保持部材を示す説明図であり、図６（Ａ）は保持部材の斜視図、図６（Ｂ）は保持部材の側面図、図６（Ｃ）は保持部材の正面図、図６（Ｄ）は保持部材の平面図である。
【図７】図６に示した保持部材の第１変形例の保持部材を示す説明図であり、図７（Ａ）は保持部材の斜視図、図７（Ｂ）は保持部材の側面図、図７（Ｃ）は保持部材の正面図、図７（Ｄ）は保持部材の平面図である。
【図８】図６に示した保持部材の第２変形例の保持部材を示す説明図であり、図８（Ａ）は保持部材の斜視図、図８（Ｂ）は保持部材の側面図、図８（Ｃ）は保持部材の正面図、図８（Ｄ）は保持部材の平面図である。
【図９】図６に示した保持部材の第３変形例の保持部材を示す説明図である。
【図１０】第２実施形態の充電器を示す平面図である。
【図１１】第３実施形態の充電器を示す平面図である。
【図１２】第４実施形態の充電器をセンターコンソールに配置した状態を示す斜視図である。
【図１３】充電器を示す図であり、状態図Ｆは充電器の平面図、状態図Ｇは充電器の側面図である。
【発明を実施するための形態】
【００１１】
以下、図面を参照して本発明の各実施形態について説明する。
＜第１実施形態＞
図１は、本発明の第１実施形態に係る充電器１０の車両１１への設置例を示す図である。
車両１１は、車室１２の前部に、運転席１３及び助手席１４の前方に配置されたインストルメントパネル１５と、インストルメントパネル１５の中央部から運転席１３及び助手席１４のそれぞれの間を後方に延びるセンターコンソール１７とを備える。インストルメントパネル１５及びセンターコンソール１７は、車室１２の内装部材である。
インストルメントパネル１５は、スピードメータ、タコメータ等からなる計器部２１と、車両１１の現在位置や目的地までの経路案内を行うカーナビゲーションシステム２２と、エアコンディショナ用の操作部２３と、小物を収納する収納ボックス２４とを備える。
計器部２１の後方には、ステアリングハンドル２６が配置されている。
【００１２】
センターコンソール１７は、変速を行うシフトレバー２８、腕を載せるアームレスト（不図示）、小物を収納するコンソールボックス（不図示）等を備える。
センターコンソール１７におけるシフトレバー２８の後方に位置する平坦部１７ａには、スマートフォン（携帯端末）３１を充電する非接触式の充電器１０が設置されている。平坦部１７ａは、水平とされた又は水平に近い傾斜を有する部分である。
【００１３】
充電器１０は、運転席１３に座った運転者や助手席１４に座った同乗者の手の届く位置（例えば、運転席１３と助手席１４との間）に設置され、充電器１０に対して、スマートフォン３１をワンモーションで配置及び持出しが可能である。また、充電器１０は、スマートフォン３１を保持する構造を備えるため、車両１１の振動や、車両の加速、減速、旋回等で発生する揺れによるスマートフォン３１の水平又は水平に近い方向の移動や飛び出しを防止できる。
【００１４】
ここで、スマートフォン３１の保持とは、スマートフォン３１を配置直後から以下の各保持部材で直接押えることに加え、スマートフォン３１が各保持部材から離れた状態で、初めに配置された位置から移動した後の各保持部材によるスマートフォン３１の更なる移動を規制することも含まれる。また、スマートフォン３１の移動とは、充電器１０上に載ったままでのスマートフォン３１の水平又は水平に近い方向への移動と、充電器１０から離れて移動する飛び出しとをいう。
【００１５】
充電器１０は、例えば、スマートフォン３１のバッテリの電圧を常時又は定期的に計測し、この電圧とバッテリ残量（ＳＯＣ）との関係から、バッテリ残量を求める。バッテリを充電して、バッテリ残量が所定値（満充電又は満充電に近い状態）に達すれば、充電を停止する。また、バッテリ残量が少なくなれば、再度充電を開始する。
以下に、充電器１０の詳細構造を説明する。
【００１６】
図２は、充電器１０を示す斜視図である。
充電器１０は、スマートフォン３１（図１参照）に給電する給電部（不図示）が設けられた充電器本体（充電部）３２と、充電器本体３２の上面に取付けられたシート状の摩擦材３３と、摩擦材３３の上面３３ａに設けられた少なくとも一対の保持部材３４とを備える。
充電器本体３２は、平面視略矩形に形成された輪郭を有し、内部に、非接触で充電を行うための給電部３２ａ（図４参照）である給電側コイルが内蔵されている。この給電側コイルからスマートフォン３１に備える受電側コイルに電磁誘導により電力が供給され、スマートフォン３１に備えるバッテリが充電される。
【００１７】
なお、充電器１０の電力伝送の方式としては、上記した電磁誘導式に限らず、給電側コイルで形成された磁場の発振に受電側コイルを共振させて電力を伝送する磁界共振式でも良い。
給電側コイルと受電側コイルとの位置が一致していれば、充電効率が高くなり、また、給電側コイルに対して受電側コイルの位置がずれると、充電効率が低くなる。本実施形態の一対の保持部材３４を設けることで、給電側コイルに対する受電側コイルのずれ量を抑えることができ、充電効率を確保できる。
【００１８】
摩擦材３３は、ゴム、シリコン、軟質樹脂等の摩擦係数が大きい材料で、充電器本体３２の上面と同じ大きさ・同じ形状に形成され、充電器本体３２の上面に合わせて貼り付けられている。また、摩擦材３３は、スマートフォン３１を弾性支持する弾性部材でもある。
摩擦材３３によって、車体の振動や揺れによる摩擦材３３の上面３３ａ上でのスマートフォン３１の移動が抑制される。
摩擦材３３は、略矩形に形成された輪郭を有し、長方形の長辺に相当する対向する一対の長縁部３３ｂと、長方形の短辺に相当する対向する一対の短縁部３３ｃと、一対の長縁部３３ｂ及び一対の短縁部３３ｃのそれぞれを接続する角部３３ｄとを備える。
なお、摩擦材３３は、充電器本体３２の上面と略同じ大きさ・略同じ形状に形成されていても良い。
【００１９】
保持部材３４は、摩擦材３３の上面３３ａ上でのスマートフォン３１の移動を抑制したり、摩擦材３３の上面３３ａからスマートフォン３１が離れることによる充電器１０からの飛び出しを防止したりする部材である。保持部材３４は、摩擦材３３の上面３３ａに一体に設けられた柱部３４ａと、柱部３４ａの上部に設けられた爪部３４ｂとを一体に備える。即ち、摩擦材３３と保持部材３４とは一体に形成される。即ち、保持部材３４は、摩擦材３３と同じ材質の材料からなる。
なお、保持部材３４を、摩擦材３３と一体にせず、充電器本体３２の上面に設けても良い。
【００２０】
一対の保持部材３４の各柱部３４ａは、その外側面３４ｘが摩擦材３３の対向する長縁部３３ｂと面一となる位置に設けられる、又は長縁部３３ｂから対向する長縁部３３ｂ側に離れた位置であって長縁部３３ｂの近傍に設けられている。
柱部３４ａは、摩擦材３３の上面３３ａから次第に離れるように延びている。柱部３４ａは、摩擦材３３の上面３３ａに対して垂直又は傾斜するように延びている。
一対の保持部材３４の各爪部３４ｂは、柱部３４ａから対向する長縁部３３ｂに向けて延びている。
【００２１】
図３は、充電器１０へのスマートフォン３１の配置要領を示す作用図である。
なお、図３の状態Ａでは、充電器１０へのスマートフォン３１の配置の途中の状態を示している。また、図３の状態Ｂでは、充電器１０へのスマートフォン３１の配置が完了した状態を示している。
まず、図２に示した充電器１０の上面１０ａ（摩擦材３３の上面３３ａでもある。）に、図３の状態Ａで示したように、スマートフォン３１を、手で把持しながら一対の保持部材３４の間に斜めに置き、スマートフォン３１を、手で把持したままで矢印Ｃに示すように水平回転させて、状態Ｂで示したように、上面１０ａに配置する。
【００２２】
このときのスマートフォン３１の長手方向は、上面１０ａの長手方向と一致又はほぼ一致し、平面視でスマートフォン３１の輪郭からはみ出した上面１０ａの枠状部分の幅が各部でほぼ同等となれば良い。
あるいは、スマートフォン３１を、一対の保持部材３４に当たるまで水平回転させても良い。これにより、スマートフォン３１の縁部は、一対の保持部材３４の各柱部３４ａに当たるとともに一対の保持部材３４の各爪部３４ｂの下方に配置される、又は上面１０ａと爪部３４ｂとに挟持される。
【００２３】
また、スマートフォン３１を充電器１０の上面１０ａから持出すには、上記したのとは逆に、状態Ｂからスマートフォン３１を矢印Ｃとは反対の方向に回転させてスマートフォン３１が一対の爪部３４ｂから外れた状態で上方に持ち上げる。
このように、本実施形態の充電器１０では、充電器１０に対するスマートフォン３１の配置及び持出しを、斜めに置いて回転させる又は回転させて持ち上げる、というワンモーションで行うことができる。
【００２４】
図４は、充電器１０を示す平面図である。
充電器１０は、左右一対の側縁１０ｂ、前縁１０ｃ、後縁１０ｄ、４つの角部１０ｅ，１０ｆ，１０ｇ，１０ｈを備える。例えば、左右の側縁１０ｂは、車体の前後方向に沿って配置され、前縁１０ｃ及び後縁１０ｄは、車体の左右方向（車幅方向）に沿って配置される。左右の側縁１０ｂは、前縁１０ｃ及び後縁１０ｄよりも長い。
４つの角部１０ｅ，１０ｆ，１０ｇ，１０ｈは、それぞれ湾曲し、左右の側縁１０ｂ、前縁１０ｃ、後縁１０ｄをそれぞれ接続する。
なお、左右の側縁１０ｂを、車体の前後方向に対して傾くように配置しても良く、前縁１０ｃ及び後縁１０ｄを、車体の左右方向（車幅方向）に対して傾くように配置しても良い。
上記した左右の側縁１０ｂ、前縁１０ｃ、後縁１０ｄ、４つの角部１０ｅ，１０ｆ，１０ｇ，１０ｈは、上面１０ａの輪郭を形成する。
【００２５】
充電器本体３２は、輪郭が略矩形に形成され、左右一対の側縁３２ｂ、前縁３２ｃ、後縁３２ｄ、４つの角部３２ｅを備える。左右の側縁３２ｂは、前縁３２ｃ及び後縁３２ｄよりも長い。４つの角部３２ｅは、それぞれ湾曲し、左右の側縁３２ｂ、前縁３２ｃ及び後縁３２ｄをそれぞれ接続する。
側縁１０ｂは、充電器本体３２の側縁３２ｂと摩擦材３３の長縁部３３ｂとからなる。前縁１０ｃは、充電器本体３２の前縁３２ｃと摩擦材３３の一方の短縁部３３ｃとからなる。後縁１０ｄは、充電器本体３２の後縁３２ｄと摩擦材３３の他方の短縁部３３ｃとからなる。
角部１０ｅ，１０ｆ，１０ｇ，１０ｈは、それぞれ充電器本体３２の角部３２ｅと摩擦材３３の角部３３ｄとからなる。
【００２６】
スマートフォン３１は、左右一対の側縁３１ｂ、上縁３１ｃ及び下縁３１ｄを有する矩形に形成され、左右の側縁３１ｂは、上縁３１ｃ及び下縁３１ｄよりも長い。スマートフォン３１は、その長手方向が充電器１０の上面１０ａの長手方向と一致又は略一致するように上面１０ａに配置される。
充電器１０の充電器本体３２（図２参照）内には、単一又は複数の給電側コイルからなる略矩形の給電部３２ａが設けられる。充電器１０の長手方向と給電部３２ａの長手方向とは一致している。
【００２７】
一対の保持部材３４は、給電部３２ａの中心１０Ｐに対して点対称となる位置に配置されている。本実施形態では、一対の保持部材３４は、充電器１０の上面１０ａの対角に配置されている。給電部３２ａの中心１０Ｐは、充電器本体３２の中心でもある。
対角とは、上記した角部１０ｅ及び角部１０ｇを含む領域である。なお、一対の保持部材３４を、対角としての上記した角部１０ｆ及び角部１０ｈを含む領域に配置しても良い。
【００２８】
上記対角を定義するにあたって、上面１０ａの長手方向の中央を通って左右に延びる横中心線１０Ｕ、前縁１０ｃと横中心線１０Ｕとの間の中央を通って左右に延びる前横中心線１０Ｖ、横中心線１０Ｕと後縁１０ｄとの間の中央を通って左右に延びる後横中心線１０Ｗを引く。
また、上面１０ａの短手方向の中央を通って前後に延びる縦中心線１０Ｘ、一方（左方）の側縁１０ｂと縦中心線１０Ｘとの間の中央を通って前後に延びる一側縦中心線１０Ｙ、縦中心線１０Ｘと他方（右方）の側縁１０ｂとの間の中央を通って前後に延びる他側縦中心線１０Ｚを引く。
【００２９】
ここで、角部１０ｅ、一方（左方）の側縁１０ｂ、前横中心線１０Ｖ、一側縦中心線１０Ｙ、前縁１０ｃで囲まれた領域３６と、角部１０ｇ、他方（右方）の側縁１０ｂ、後横中心線１０Ｗ、他側縦中心線１０Ｚ、後縁１０ｄで囲まれた領域３７とは、それぞれ角部１０ｅ、角部１０ｇを含む対角である。
領域３６，３７は、上面１０ａの中心１０Ｐに対して点対称となる位置に配置され、各保持部材３４（詳しくは、保持部材３４の柱部３４ａ）は、領域３６，３７に配置されている。
【００３０】
また、角部１０ｆ、他方（右方）の側縁１０ｂ、前横中心線１０Ｖ、他側縦中心線１０Ｚ、前縁１０ｃで囲まれた領域３８と、角部１０ｈ、一方（左方）の側縁１０ｂ、後横中心線１０Ｗ、一側縦中心線１０Ｙ、後縁１０ｄで囲まれた領域３９は、それぞれ角部１０ｆ、角部１０ｈを含む対角である。上記した領域３６，３７，３８，３９は、太線で囲まれた部分である。
領域３８，３９は、上面１０ａの中心１０Ｐに対して点対称となる位置に配置され、各保持部材３４（詳しくは、保持部材３４の柱部３４ａ）を、領域３８，３９に配置しても良い。
【００３１】
なお、保持部材３４の柱部３４ａを、前横中心線１０Ｖ、後横中心線１０Ｗ、一側縦中心線１０Ｙ、他側縦中心線１０Ｚ上に配置しても良い。
なお、本実施形態では、少なくとも一対の保持部材３４を、領域３６，３７に配置する。
好ましくは、領域３６，３７のうち、対向する長辺（一対の側縁１０ｂ又は一対の側縁１０ｂの近傍）に配置する。
【００３２】
これは、給電部３２ａの長手方向にスマートフォン３１の長手方向を合わせて配置するためである。即ち、給電部３２ａに対してスマートフォン３１の位置がずれる場合、スマートフォン３１が、その長手方向である前後方向にずれるよりも、短手方向である左右方向（車幅方向）にずれる方が、スマートフォン３１への給電をより低下させることになる。
従って、スマートフォン３１が、その短手方向にずれるのを抑制するために、充電器１０の対向する長辺（一対の側縁１０ｂ又は一対の側縁１０ｂの近傍（摩擦材３３では、一対の長縁部３３ｂ（図２参照）又は長縁部３３ｂの近傍））に少なくとも一対の保持部材３４を配置している。
【００３３】
なお、角部１０ｅ、一方（左方）の側縁１０ｂ、横中心線１０Ｕ、縦中心線１０Ｘ、前縁１０ｃで囲まれた領域４０Ａと、角部１０ｇ、他方（右方）の側縁１０ｂ、横中心線１０Ｕ、縦中心線１０Ｘ、後縁１０ｄで囲まれた領域４０Ｂとは対角であり、これらの領域４０Ａ，４０Ｂに一対の保持部材３４を配置しても良い。
あるいは、角部１０ｆ、他方（右方）の側縁１０ｂ、横中心線１０Ｕ、縦中心線１０Ｘ、前縁１０ｃで囲まれた領域４０Ｃと、角部１０ｈ、一方（左方）の側縁１０ｂ、横中心線１０Ｕ、縦中心線１０Ｘ、後縁１０ｄで囲まれた領域４０Ｄとは対角であり、これらの領域４０Ｃ，４０Ｄに一対の保持部材３４を配置しても良い。
【００３４】
図５は、図４のＶ矢視図である。
保持部材３４の爪部３４ｂは、先端に向かうにつれて次第に上がっていくように上面１０ａに対して傾斜した下面３４ｃと、先端に向かうにつれて次第に下がっていくように上面１０ａに対して傾斜した上面３４ｄとを備える。一対の爪部３４ｂの各先端３４ｅの左右方向（車幅方向）の距離は、Ｌ１であり、充電器１０では、距離Ｌ１よりも短手方向の幅が広いスマートフォン３１が配置可能である。
スマートフォン３１は、一対の保持部材３４の間、詳しくは、一対の柱部３４ａの間に配置されるとともに、左右の爪部３４ｂの下方に配置されている。
【００３５】
また、スマートフォン３１の短手方向の幅Ｗ１（＞Ｌ１）よりも短手方向の幅Ｗ２（＞Ｌ１）が狭く、且つスマートフォン３１の厚さＴ１よりも厚さＴ２が厚いスマートフォン４１（二点鎖線で描いた部分である。）は、一対の柱部３４ａの間に配置されるとともに、保持部材３４の弾性力によって左右の爪部３４ｂの下面３４ｃで押圧されている。
このように、保持部材３４は、幅や厚さの異なるスマートフォン３１，４１を保持でき、下面３４ｃでスマートフォン４１を押圧する場合は、スマートフォン４１を弾性力で保持して、スマートフォン４１の保持力を高めることができる。
【００３６】
また、上面３４ｄが傾斜面となっているので、スマートフォン３１，４１を一対の保持部材３４の間に配置する際、スマートフォン３１，４１が爪部３４ｂに当たっても、スマートフォン３１，４１を、傾斜した上面３４ｄによって一対の保持部材３４の間に案内することができ、スマートフォン３１，４１を容易に配置できる。
【００３７】
以上に述べた保持部材３４及び保持部材３４の変形例の詳細構造を以下の図６〜図８で説明する。
図６は、本実施形態の保持部材３４を示す説明図である。
図６（Ａ）は保持部材３４の斜視図、図６（Ｂ）は保持部材３４の側面図、図６（Ｃ）は保持部材３４の正面図、図６（Ｄ）は保持部材３４の平面図である。
図６（Ａ）〜図６（Ｄ）に示すように、爪部３４ｂは、四角推台状に形成され、下面３４ｃは、水平線４３に対して角度αだけ傾斜している。角度αは、９０°よりも小さい（α＜９０°）。また、上面３４ｄは、水平線４３に対して角度βだけ傾斜している。角度βは９０°よりも小さい（β＜９０°）。
【００３８】
また、爪部３４ｂの両側の側面３４ｆは、先端３４ｅに向かうにつれて次第に近づくように、充電器１０の左右方向に延びる爪部３４ｂの中心線３４ｇに対して傾斜している。このように、左右の側面３４ｆを傾斜させることで、一対の爪部３４ｂ間の距離を長くでき、充電器１０の上面１０ａに配置可能なスマートフォン３１をより大きくできる。
【００３９】
図７は、図６に示した保持部材３４の第１変形例の保持部材４５を示す説明図である。
図７（Ａ）は保持部材４５の斜視図、図７（Ｂ）は保持部材４５の側面図、図７（Ｃ）は保持部材４５の正面図、図７（Ｄ）は保持部材４５の平面図である。
図７（Ａ）〜図７（Ｄ）に示すように、保持部材４５は、スマートフォン３１（図５参照）の充電器１０（図５参照）上の移動を抑制したり、充電器１０からの飛び出しを抑制したりする部材であり、摩擦材３３（図５参照）の上面３３ａ（図５参照）に一体に設けられた柱部４５ａと、柱部４５ａの上部に設けられた爪部４５ｂとを一体に備える。
【００４０】
爪部４５ｂは、四角推台状に形成され、下面４５ｃは、水平線４３に対して角度γだけ傾斜している。角度γは、９０°よりも小さく（γ＜９０°）、上記した角度α（図６（Ｂ）参照）と同一でも良い。また、上面４５ｄは、水平に形成され、柱部４５ａの上端面４５ｅと面一になっている。
また、爪部４５ｂの両側の側面４５ｆは、爪部４５ｂの先端４５ｇに向かうにつれて次第に近づくように、充電器１０の左右方向に延びる爪部４５ｂの中心線４５ｈに対して傾斜している。
【００４１】
図８は、図６に示した保持部材３４の第２変形例の保持部材４６を示す説明図である。
図８（Ａ）は保持部材４６の斜視図、図８（Ｂ）は保持部材４６の側面図、図８（Ｃ）は保持部材４６の正面図、図８（Ｄ）は保持部材４６の平面図である。
図８（Ａ）〜図８（Ｄ）に示すように、保持部材４６は、スマートフォン３１（図５参照）の充電器１０上の移動を抑制したり、充電器１０からの飛び出しを抑制したりする部材であり、摩擦材３３（図５参照）の上面３３ａ（図５参照）に一体に設けられた柱部４６ａと、柱部４６ａの上部に設けられた爪部４６ｂとを一体に備える。
【００４２】
爪部４６ｂは、柱部４６ａから二股状に延びる一対の第１爪部４６ｃ及び第２爪部４６ｄから一体に形成されている。爪部４６ｂの下面４６ｅは、水平線４３に対して角度αだけ傾斜している。角度αは、９０°よりも小さい（α＜９０°）。また、爪部４６ｂの上面４６ｆは、水平線４３に対して角度βだけ傾斜している。角度βは、９０°よりも小さい（β＜９０°）。
【００４３】
図８（Ｄ）において、柱部４６ａの前後方向の幅の中央を通って柱部４６ａに対して垂直に延びる（即ち左右方向に延びる）柱部中心線４６Ｇと、柱部４６ａの内面４６ｈとの交点を４６ｊとする。
交点４６ｊと第１爪部４６ｃの先端の幅中央とを通る第１中心線４６Ｋが、柱部中心線４６Ｇと成す角度をε、交点４６ｊと第２爪部４６ｄの先端の幅中央とを通る第２中心線４６Ｍが、柱部中心線４６Ｇと成す角度をθとする。角度ε＜９０°、角度θ＜９０°であり、角度ε＝角度θ、又は角度ε≠角度θである。
このように、爪部４６ｂを二股状に延ばすことで、保持部材４６を充電器１０の角部１０ｅ（図４参照）及び角部１０ｇ（図４参照）に配置して、スマートフォン３１の２辺（一方（左方）の側縁３１ｂと上縁３１ｃ、及び他方（右方）の側縁３１ｂと下縁３１ｄ）を保持可能になり、保持効果を高めることができる。
【００４４】
図９は、図６に示した保持部材３４の第３変形例の保持部材４７を示す説明図である。
なお、第３変形例において、図１〜図６に示した第１実施形態と同一構成については同一符号を付け、詳細説明は省略する。
充電器１０Ｋは、一対の保持部材４７を備える。保持部材４７は、保持部材３４（図４参照）の爪部３４ｂ（図４参照）に対して爪部４７ｂのみ異なる。
爪部４７ｂは、両側の側面４７ｃ，４７ｄを備える。上面１０ａの中心１０Ｐから遠い側に位置する側面４７ｃは、柱部３４ａから充電器１０Ｋの前縁１０ｃ及び後縁１０ｄに平行（又は左右の側面１０ｃに直交するように）に延びている。
【００４５】
上面１０ａの中心１０Ｐに近い側に位置する側面４７ｄは、爪部４７ｂの先端４７ｅに向かうにつれて前縁１０ｃに次第に近づくように（又は後縁１０ｄから次第に離れるように）左右方向（車幅方向）に延びる直線４８に対して角度δだけ傾斜している。角度δは９０°よりも小さい（δ＜９０°）。
このように、中心１０Ｐに近い側の側面４７ｄを傾斜させることで、一対の爪部４７ｂ間の距離（最短距離）Ｌ２を長くでき、充電器１０の上面１０ａに配置可能なスマートフォン３１をより大きくできる。
【００４６】
＜第２実施形態＞
図１０は、第２実施形態の充電器５０を示す平面図である。
なお、第２実施形態において、第１実施形態と同一構成については同一符号を付け、詳細説明は省略する。
充電器５０は、充電器本体５２、摩擦材５３、少なくとも一対の保持部材５４、移動装置５５、移動制御部５６を備える。
【００４７】
充電器本体５２は、スマートフォン３１に給電する給電部３２ａを備える。摩擦材５３は、シート状で、ゴムやシリコン等の摩擦係数が大きい材料で形成され、充電器本体５２の上面５２ａに取付けられている。
一対の保持部材５４は、充電器本体５２の周縁部に設けられたレール部５２ｂに移動可能に支持された柱部５４ａと、柱部５４ａの上部から対向する側縁１０ｂに向けて延びる爪部５４ｃとを備える。
【００４８】
移動装置５５は、保持部材５４を充電器本体５２の周縁部に沿って移動させるものであり、ワイヤー６１、ローラ６２、電動モータ６３を備える。
ワイヤー６１は、一対の保持部材５４に接続されるとともに充電器本体５２の周縁部に沿って一対の保持部材５４と共に移動可能に配置されている。ワイヤー６１は、図示せぬ複数の回転するローラによって移動可能に支持されている。
【００４９】
ローラ６２は、電動モータ６３の回転軸６３ａに取付けられ、ローラ６２には、ワイヤー６１の途中が巻かれている。電動モータ６３は、ローラ６２を回転させる駆動力を発生させる。
移動制御部５６は、電動モータ６３の駆動を制御する制御部本体５７と、制御部本体５７にオンオフ信号を入力するスイッチ５８とを備える。
【００５０】
以上に述べた充電器５０の一対の保持部材５４の動作を次に説明する。
一対の保持部材５４が、図１０に示した初期位置に配置された状態で、スイッチ５８を押してオンにすると、制御部本体５７は、スイッチ５８から入力されたスイッチ情報（オン信号）に基づいて電動モータ６３を作動させる。
この結果、電動モータ６３の駆動力によってローラ６２が回転し、ワイヤー６１が、周方向に移動する。このとき、ワイヤー６１と共に一対の保持部材５４は、充電器５０の中心１０Ｐに対して点対称な位置を保つように充電器５０の周縁部を移動する。
スイッチ５８の１回の押圧では、一対の保持部材５４の移動は、所定距離だけなので、更に移動させたい場合は、複数回押圧することになる。スイッチ５８を押圧する毎に、一対の保持部材５４は、所定距離移動する。
【００５１】
また、一対の保持部材５４の初期位置からの最大移動距離が設定されているので、その最大移動距離後にスイッチを押圧すると、今度は、それまでの移動方向とは反対方向に所定距離だけ移動する。この場合も、更に反対方向へ移動させたい場合は、複数回押圧することになる。また、スイッチ５８を長押しすれば、一対の保持部材５４のその時点での位置に関わらず、一対の保持部材５４は、上記した初期位置に戻る。
【００５２】
上記したように、一対の保持部材５４を自動で移動させる充電器５０では、スマートフォン３１の大きさに応じて、一対の保持部材５４をＤ方向に自動で移動させることができる。
たとえば、運転者及び同乗者が、それぞれ異なる大きさのスマートフォン３１を所持している場合、あるいは、運転者又は同乗者が、複数台の異なる大きさのスマートフォン３１を所持している場合には、それらのスマートフォン３１に合わせて一対の保持部材５４を移動でき、使い勝手を向上できる。
【００５３】
あるいは、移動制御部５６に、スマートフォン３１の大きさや厚さを検出するセンサーを備え、一対の保持部材５４に、柱部５４ａに設けられた駆動部５４ｂと、駆動部５４ｂにより柱部５４ａに対して突出又は後退可能に設けられた爪部５４ｃとを備えるようにしても良い。これらの構成を追加することで、上記センサーからの検知信号に基づいて制御部本体５７が、駆動部５４ｂに爪部５４ｃをＥ方向に突出又は後退を行わせて爪部５４ｃの位置をスマートフォン３１の大きさや厚さに合わせて自動調整するようにしても良い。
【００５４】
また、上記の変形例として、手動で一対の保持部材５４をＤ方向及びＥ方向に移動可能な充電器５０としても良い。
一対の保持部材５４は、充電器本体５２に設けられたレール部５２ｂに移動可能に支持された柱部５４ａと、柱部５４ａに対してＥ方向に突出又は後退可能に設けられた爪部５４ｃとを備える。
レール部５２ｂと柱部５４ａとの間には、図示せぬ摩擦部材が設けられ、一対の保持部材５４を手動でＤ方向に移動させる以外は、摩擦部材によるレール部５２ｂと柱部５４ａとの間の摩擦力によって保持部材５４を充電器本体５２に保持しておくことができる。
【００５５】
また、摩擦材５３の上面５３ａには、一対の保持部材５４（詳しくは、柱部５４ａ）の進路に沿って目盛りが描かれている。一対の保持部材５４の手動によるＤ方向への移動時には、この目盛りを目安にして、一対の保持部材５４の移動する位置を、充電器５０の中心１０Ｐに対して点対称な位置に合わせることができる。
また、爪部５４ｃにも目盛りを設けることで、柱部５４ａに対する爪部５４ｃのＥ方向への突出量又は後退量を把握でき、一対の爪部５４ｃを同じ量だけ突出又は後退させることができる。
【００５６】
＜第３実施形態＞
図１１は、第３実施形態の充電器７０を示す平面図である。
なお、第３実施形態において、第１実施形態と同一構成については同一符号を付け、詳細説明は省略する。
充電器７０は、第１実施形態の充電器１０（図４参照）に対して一対の保持部材７１を追加したものである。
即ち、充電器７０は、充電器本体３２、摩擦材３３、一対の保持部材３４及び一対の保持部材７１を備え、一対の保持部材３４及び一対の保持部材７１によってスマートフォン７５を保持可能である。
保持部材７１は、保持部材３４と同一形状であるが、識別のため、名称を変えている。
【００５７】
スマートフォン７５は、左右一対の側縁７５ｂ、上縁７５ｃ及び下縁７５ｄ、４つの湾曲した角部７５ｅ，７５ｆ，７５ｇ，７５ｈを有する略矩形の輪郭に形成され、左右の側縁７５ｂは、上縁７５ｃ及び下縁７５ｄよりも長い。
スマートフォン７５は、その長手方向が充電器７０（詳しくは、充電器７０の上面１０ａ）の長手方向に一致又はほぼ一致するように配置される。
【００５８】
一対の保持部材７１の各柱部３４ａは、その外側面３４ｘが摩擦材３３の対向する短縁部３３ｃと面一となる位置に設けられる、又は短縁部３３ｃから対向する短縁部３３ｃ側に離れた位置に設けられている。
一対の保持部材７１の各爪部３４ｂは、柱部３４ａから対向する短縁部３３ｃに向けて延びている。
【００５９】
一対の保持部材３４と一対の保持部材７１とは、それぞれ充電器７０の中心１０Ｐに対して点対称となる位置に配置されている。本実施形態では、一対の保持部材３４は、充電器１０の上面１０ａの対角に配置され、一対の保持部材７１も、充電器１０の上面１０ａの対角に配置されている。
対角とは、上記した角部１０ｅ及び角部１０ｇを含む領域である。なお、一対の保持部材３４を、対角としての上記した角部１０ｆ及び角部１０ｈを含む領域に配置しても良い。
【００６０】
ここで、角部１０ｅ、一方（左方）の側縁１０ｂ、前横中心線１０Ｖ、縦中心線１０Ｘ、前縁１０ｃで囲まれた領域７６と、角部１０ｇ、他方（右方）の側縁１０ｂ、後横中心線１０Ｗ、縦中心線１０Ｘ、後縁１０ｄで囲まれた領域７７とは、それぞれ角部１０ｅ、角部１０ｇを含む対角である。
領域７６，７７は、上面１０ａの中心１０Ｐに対して点対称となる位置に配置され、各保持部材３４，７１（詳しくは、柱部３４ａ）は、領域７６，７７に配置されている。
【００６１】
また、角部１０ｆ、他方（右方）の側縁１０ｂ、前横中心線１０Ｖ、縦中心線１０Ｘ、前縁１０ｃで囲まれた領域７８と、角部１０ｈ、一方（左方）の側縁１０ｂ、後横中心線１０Ｗ、縦中心線１０Ｘ、後縁１０ｄで囲まれた領域７９は、それぞれ角部１０ｆ、角部１０ｈを含む対角である。上記した領域７６，７７，７８，７９は、太線で囲まれた部分である。
領域７８，７９は、上面１０ａの中心１０Ｐに対して点対称となる位置に配置され、各保持部材３４，７１（詳しくは、柱部３４ａ）を、領域７８，７９に配置しても良い。
この場合、保持部材７１の柱部３４ａを、前横中心線１０Ｖ上、後横中心線１０Ｗ上、縦中心線Ｘ上に配置しても良い。
【００６２】
なお、領域４０Ａ，４０Ｂにそれぞれ保持部材３４を配置し、領域４０Ａ，４０Ｂにそれぞれ保持部材７１を配置しても良い。あるいは、領域４０Ｃ，４０Ｄにそれぞれ保持部材７１を配置し、領域４０Ｃ，４０Ｄにそれぞれ保持部材７１を配置しても良い。
この場合、保持部材７１の柱部３４ａを、縦中心線Ｘ上、横中心線１０Ｕ上に配置しても良い。
【００６３】
なお、本実施形態では、少なくとも一対の保持部材３４及び少なくとも一対の保持部材７１を、領域７６，７７に配置する。
上記したように、一対の保持部材３４と一対の保持部材７１とを設けることで、スマートフォン７５の充電器７０上の移動及び充電器７０からの飛び出しによる充電器７０からの脱落を抑制する機能を高めることができる。
【００６４】
＜第４実施形態＞
図１２は、第４実施形態の充電器９０をセンターコンソール１７に配置した状態を示す斜視図である。
なお、第４実施形態において、第１実施形態と同一構成については同一符号を付け、詳細説明は省略する。
充電器９０は、スマートフォン３１（図１参照）に給電する給電部３２ａ（図４参照）が設けられた充電器本体９２と、充電器本体９２の上面に取付けられたシート状の摩擦材９３と、充電器本体９２及び摩擦材９３の対角（対向する一対の角部９２ａ，９３ｅ）に設けられた少なくとも一対の保持部材９４とを備える。
【００６５】
充電器本体９２は、平面視矩形又は平面視略矩形に形成された輪郭を有し、充電器本体３２（図１参照）と同一の構造及び機能を備える。
充電器本体９２は、下部又は全体がセンターコンソール１７に埋め込まれて固定されている。なお、充電器本体９２を、センターコンソール１７の上面に載せた状態で固定するようにしても良い。
【００６６】
摩擦材９３は、摩擦材３３（図２参照）と同じ材質で、摩擦材９３の上面９３ａ（充電器９０の上面（載置面）９０ａである。）に置かれたスマートフォン３１の移動を抑制する。摩擦材９３の輪郭形状（矩形）及び大きさは、充電器本体９２と同一又はほぼ同一である。
【００６７】
一対の保持部材９４は、それぞれ充電器本体９２とは別体に設けられ、センターコンソール１７の長手方向に沿って長く形成されている。また、一対の保持部材９４は、スマートフォン３１（詳しくは、スマートフォン３１の対角となる角部）が挿入される凹部９４ａと、凹部９４ａを形成したことで出来た縦に延びる縦壁９４ｂ及び横に延びる横壁９４ｃとをそれぞれ備える。
横壁９４ｃは、摩擦材９３の角部９３ｅを上方から覆っている。
上記した縦壁９４ｂ及び横壁９４ｃによって、摩擦材９３上に載せられたスマートフォン３１の水平又は水平に近い方向の移動や飛び出しを防止できる。
【００６８】
横壁９４ｃの上面９４ｄは、充電器本体９２側に位置する平面９４ｅと、平面９４ｅに連続して形成されるとともに充電器本体９２から離れるにつれて次第に低くなる曲面９４ｆとを有する。
縦壁９４ｂは、上下に延びるとともにセンターコンソール１７の長手方向に沿って延びる側面９４ｇを有する。
凹部９４ａの底面９４ｈは、横壁９４ｃと縦壁９４ｂとの角部９４ｊに向けて凸となるように湾曲している。保持部材９４の端面９４ｋは、前後方向に向けて形成されている。
【００６９】
図１３は、充電器９０を示す図であり、状態図Ｆは充電器９０の平面図、状態図Ｇは充電器９０の側面図である。状態図Ｆと状態図Ｇとの対応する部分を破線で繋いでいる。
状態図Ｆに示すように、平面視矩形の保持部材９４は、車両の前後方向に延びている。
一対の保持部材９４は、平面視で、充電器本体９２の対角（対向する角部９２ａ）及び摩擦材９３の対角（対向する角部９３ｅ）に重なるように配置される。詳しくは、平面視で、保持部材９４の凹部９４ａは、平面視で、充電器本体９２の角部９２ａ及び摩擦材９３の角部９３ｅと重なっている。
また、一対の保持部材９４は、充電器９０の中央に設けられた充電器本体９２の内部に設けられた給電部９２ｂの中心９０Ｐに対して点対称となる位置に設けられている。本実施形態では、給電部９２ｂが、充電器本体９２の中心にあるため、給電部９２ｂの中心９０Ｐが、充電器本体９２の中心でもある。
【００７０】
状態図Ｇに示すように、保持部材９４の凹部９４ａの底面９４ｈは、側面視では、上方に凸状に湾曲するとともに、中心９０Ｐから車両の前後方向に離れるにつれて次第にセンターコンソール１７の平坦部１７ａ（図１参照）の上面１７ｂに近づく。底面９４ｈの下端部は、摩擦材９３の角部９３ｅに当接又は近接している。
保持部材９４の平面９４ｅは、充電器本体９２及び摩擦材９３の上方に位置し、曲面９４ｆは、充電器本体９２及び摩擦材９３の上方を外れた位置で平面９４ｅの端部からセンターコンソール１７の上面１７ｂに向かってなだらかに傾斜している。
曲面９４ｆは、詳しくは、側面視でＳ字状に湾曲している。
【００７１】
このように、保持部材９４の上面９４ｄを平面９４ｅ及び曲面９４ｆからなる滑らかな面とすることで、スマートフォン３１の充電器９０に対する配置や持出し、或いはその他のセンターコンソール１７及びこの周囲での腕の動作をスムーズに行うことができる。また、充電器９０の外観性を向上できる。
【００７２】
状態図Ｆ及び状態図Ｇにおいて、保持部材９４の凹部９４ａの底面９４ｈを、車両前後方向及び車幅方向で中心９０Ｐに近づくにつれてスマートフォン３１から離れるように形成することで、充電器９０に配置可能なスマートフォン３１の大きさや厚さの自由度を増すことができる。また、底面９４ｈの弾性力でスマートフォン３１を摩擦材９３の上面９３ａに押し付けることができ、スマートフォン３１を保持する保持機能を高めることができる。
【００７３】
以上の図４に示したように、少なくとも携帯端末としてのスマートフォン３１の移動を抑制でき、スマートフォン３１を充電する非接触式の充電部としての充電器本体３２を備える充電器１０であって、充電器本体３２に対向してスマートフォン３１を載せる載置面としての上面１０ａに、スマートフォン３１を保持する保持部材３４が複数設けられ、保持部材３４は、充電器本体３２の中心１０Ｐに対して点対称となる位置に設けられる。
この構成によれば、スマートフォン３１の移動、即ち、充電器１０の上面１０ａ上での移動及び充電器１０からの飛び出しを抑制しながら、充電器１０をより単純に構成するとともに充電器１０に対してスマートフォン３１の配置・持出しをワンモーションで容易に行うことができる。
【００７４】
また、保持部材３４は、少なくとも充電器１０の上面１０ａの対向する２辺（詳しくは、２つの長辺である一対の側縁１０ｂ、又は一対の側縁１０ｂからそれぞれ対向する側縁１０ｂ側に離れた位置）に１箇所ずつ設けられる。
この構成によれば、充電器１０をより単純な構造にするとともにスマートフォン３１の移動を抑制できる。
【００７５】
また、一対の保持部材３４は、充電器１０の上面１０ａの対角に設けられる。
この構成によれば、一対の保持部材３４間の距離を長くでき、充電器１０に配置可能なスマートフォン３１の大きさの自由度を増すことができる。
【００７６】
また、図１に示したように、充電器１０は、車両１１の内装部材としてのセンターコンソール１７に設けられる。
この構成によれば、充電器１０を、車両１１の乗員の近傍の内装部材に設置することで、スマートフォン３１の使い勝手を向上できる。
【００７７】
また、図２及び図４に示したように、保持部材３４は、充電器１０の上面１０ａから離れる方向に延びる柱部３４ａを備える。
この構成によれば、柱部３４ａで充電器１０の上面１０ａに沿ったスマートフォン３１の移動を抑制できる。
【００７８】
また、図４及び図５に示したように、保持部材３４は、柱部３４ａの端部に、先端側ほど充電器１０の上面１０ａから離れるように上面１０ａに対して傾斜した傾斜面としての下面３４ｃを有する爪部３４ｂを備え、下面３４ｃが、上面１０ａに載置されたスマートフォン３１に臨む。
【００７９】
この構成によれば、爪部３４ｂでスマートフォン３１の充電器１０上での移動及び充電器１０からの飛び出しを抑制するとともに、爪部３４ｂの下面３４ｃにより、配置可能なスマートフォン３１の大きさや厚さの自由度を増すことができる。また、爪部３４ｂの下面３４ｃでスマートフォン３１を上面１０ａに押し付けることができ、スマートフォン３１を保持する保持機能を高めることができる。
【００８０】
また、図９に示したように、爪部４７ｂは、先端側ほど細くなるように、爪部４７ｂの充電器本体３２の中心１０Ｐに近い側面４７ｄが、対向する２つの長辺としての一対の側縁１０ｂに直交する方向に対して傾斜している。
この構成によれば、一対の保持部材４７間の距離を長くでき、充電器１０Ｋに配置可能なスマートフォン３１の大きさの自由度を増すことができる。
【００８１】
また、図１０に示したように、保持部材５４は、可動式である。
この構成によれば、スマートフォン３１の大きさに応じて保持部材５４を移動させることができ、充電器５０に配置可能なスマートフォン３１の自由度を増すことができる。
【００８２】
上述した実施形態は、あくまでも本発明の一態様を示すものであり、本発明の主旨を逸脱しない範囲で任意に変形及び応用が可能である。
例えば、保持部材を、柱部と爪部とから構成したが、これに限らず、保持部材を、摩擦材又は充電器本体の上面から、この上面に対して傾斜しつつ離れる方向に延びる柱部のみから構成しても良い。これにより、柱部によって、スマートフォンの充電器上の移動及び充電器からの飛び出しを抑制できる。
【００８３】
また、充電器の上面から弾性部材で形成された一対の保持部材の各爪部の一部までの高さが、充電器の上面に載せたスマートフォンの厚さよりも低い部分を備えても良い。これにより、充電器の上面と一対の保持部材の各爪部の一部との間にスマートフォンを挿入して、各爪部を上面から離れる方向に弾性変形させることで、スマートフォンを、爪部と上面とで挟持して保持するようにしても良い。
また、本実施形態では、図１に示したように、充電器１０をセンターコンソール１７に設置したが、これに限らず、充電器１０をインストルメントパネル１５や、車室１２内の他の内装部材に設置しても良い。
【符号の説明】
【００８４】
１０，１０Ｋ，５０，７０，９０  充電器
１０ａ，９０ａ  上面（載置面）
１０Ｐ  充電部の中心
１１  車両
１７  センターコンソール（内装部材）
３１，４１，７５  スマートフォン（携帯端末）
３２  充電器本体（充電部）
３４，４５，４６，４７，５４，７１，９４  保持部材
３４ａ，４５ａ，４６ａ，５４ａ  柱部
３４ｂ，４５ｂ，４６ｂ，４７ｂ，５４ｃ  爪部
３４ｃ，４５ｃ，４６ｅ  下面（傾斜面）
４７ｄ  爪部の側面
【図１】
2020195232.tif 000003
【図２】
2020195232.tif 000004
【図３】
2020195232.tif 000005
【図４】
2020195232.tif 000006
【図５】
2020195232.tif 000007
【図６】
2020195232.tif 000008
【図７】
2020195232.tif 000009
【図８】
2020195232.tif 000010
【図９】
2020195232.tif 000011
【図１０】
2020195232.tif 000012
【図１１】
2020195232.tif 000013
【図１２】
2020195232.tif 000014
【図１３】
2020195232.tif 000015